(57)【要約】  本発明は、構内電話配線（１１）に接続する第１のインタフェース手段（５４）と、ネットワーク（１００）にアクセスする第２のインタフェース手段（５６）とを有する装置（４）であって、構内電話配線は中央局（２）内に設置された第１の電話加入者回線インタフェース手段（２１）に接続され、構内電話配線は少なくとも第１のアナログ電話機（７）を接続するプラグ接続手段（１１０）を有している前記装置に関する。この装置は、ネットワーク（１００）を介して電話サービスを提供する第２の電話加入者回線インタフェース手段（５１）と、構内電話配線（１１）が第１の電話加入者回線インタフェース手段（２１）から切断されたときに、第１のアナログ電話機（７）を第２の電話加入者回線インタフェース手段（５１）に接続する手段とを有している。
2009528716.tif 000002
【特許請求の範囲】
【請求項１】
構内電話配線（１１）に接続する第１のインタフェース手段（５４）と、ネットワーク（１００）にアクセスする第２のインタフェース手段（５６）とを有する装置（４）であって、前記構内電話配線は中央局（２）内に設置された第１の電話加入者回線インタフェース手段（２１）に接続され、前記構内電話配線は少なくとも第１のアナログ電話機（７）を接続するプラグ接続手段（１１０）を有しており、
第２の電話加入者回線インタフェース手段（５１）と、
前記構内電話配線（１１）が前記第１の電話加入者回線インタフェース手段（２１）から切断されたときに、前記ネットワーク（１００）を介して前記第２の電話加入者回線インタフェース手段（５１）によって前記少なくとも第１のアナログ電話機（７）に電話サービスを提供する手段と、
を有することを特徴とする前記装置。
【請求項２】
第２のアナログ電話機（８）を接続する第３のインタフェース手段（５３）と、
前記構内電話配線（１１）が前記第１の電話加入者回線インタフェース手段（２１）から切断されたときに、前記第２のアナログ電話機（８）を前記第２の電話加入者回線インタフェース手段（５１）に接続する手段と、
を有することを特徴とする、請求項１に記載の装置。
【請求項３】
第２のアナログ電話機を前記第１の電話加入者回線インタフェース手段（２１）に接続する手段を有し、前記構内電話配線（１１）は前記第１の電話加入者回線インタフェース手段（２１）に接続されていることを特徴とする、請求項１または２に記載の装置。
【請求項４】
前記第２のアナログ電話機を前記第２の電話加入者回線インタフェース手段（５１）に接続する手段を有し、前記構内電話配線は前記第１の電話加入者回線インタフェース手段（２１）に接続されていることを特徴とする、請求項３に記載の装置。
【請求項５】
前記第１の電話加入者回線インタフェース手段への前記第１および第２のアナログ電話機の接続、
前記第２の電話加入者回線インタフェース手段への前記第１および第２のアナログ電話機の接続、あるいは、
前記第１の電話加入者回線インタフェース手段への前記第１のアナログ電話機の接続および前記第２の電話加入者回線インタフェース手段への前記第２のアナログ電話機の接続、
の間での切替えを行う切替え手段（５２）を有することを特徴とする、請求項３または４に記載の装置。
【請求項６】
前記切替え手段（５２）がスイッチ（５７）であることを特徴とする、請求項５に記載の装置。
【請求項７】
前記切替え手段（５２）を制御する遠隔管理手段（５８）を有することを特徴とする、請求項５または６に記載の装置。
【請求項８】
前記装置を前記中央局（２）内に設置されたデジタル加入者回線アクセス・マルチプレクサ（２４）に接続するデジタル加入者回線インタフェース（５６）を有することを特徴とする、請求項１から７のいずれか１項に記載の装置。
【請求項９】
ボイスオーバーＩＰサービスを提供する手段を有することを特徴とする、請求項１から８のいずれか１項に記載の装置。
【発明の詳細な説明】
【技術分野】
【０００１】
本発明は、中央局に接続されていない構内電話配線にプラグ接続された電話機に電話サービスを提供する装置に関する。
【背景技術】
【０００２】
顧客構内に設置されている電話機に電話交換機が接続されている加入者回線に於いて、アナログ音声サービス、即ち、従来の通常の電話サービス（Ｐｌａｉｎ＿Ｏｌｄ＿Ｔｅｌｅｐｈｏｎｅ＿Ｓｅｒｖｉｃｅ：ＰＯＴＳ）は、一般的に、３００Ｈｚから３４００Ｈｚの周波数範囲を使用している。デジタル加入者回線技術は、これより高い周波数を使用して、元来、公衆交換電話回線網を介した音声送信のみに意図されていた銅配線を通じて情報を伝えることを可能にしている。顧客構内では、低い周波数帯域でアナログ電話サービスを利用し、高い周波数帯域でデータ・サービスを利用できる。これには、当該地域の電話会社の中央局内に設置されたデジタル加入者回線アクセス・マルチプレクサ（Ｄｉｇｉｔａｌ＿Ｓｕｂｓｃｒｉｂｅｒ＿Ｌｉｎｅ＿Ａｃｃｅｓｓ＿Ｍｕｌｔｉｐｌｅｘｅｒ：ＤＳＬＡＭ）と通信を行うＤＳＬモデムが必要である。また、アナログ電話機をローパス・フィルタを介して構内電話配線にプラグ接続することも、通常、必要である。これらにより、アナログ電話機が電話サービス中央局、即ち、異種交換局（Ｆｏｒｅｉｇｎ＿ｅＸｃｈａｎｇｅ＿Ｓｔａｔｉｏｎ：ＦＸＳ）に接続され、ＤＳＬモデムがＤＳＬＡＭに接続される。同一の加入者回線には、アナログ電話チャネルとＤＳＬチャネルの２つのチャネルが共存することになる。
【０００３】
ＤＳＬ技術により、顧客構内ではインターネット・プロトコル（Ｉｎｔｅｒｎｅｔ＿Ｐｒｏｔｏｃｏｌ：ＩＰ）を通じてインターネットにアクセス出来る。通常、顧客構内に設置されたＤＳＬゲートウェイはＬＡＮインタフェースを備えており、当該ＬＡＮに接続された各機器はインターネットにアクセス出来る。これらの機器は、例えばボイスオーバーＩＰ（ＶｏＩＰ）のような種々のアプリケーションを実行する。ＶｏＩＰは、パーソナル・コンピュータで実行されるアプリケーションにより、或いは、ＬＡＮに接続された専用ＶｏＩＰ端末により行われる。ＬＡＮは、例えばイーサネット（登録商標）ネットワークのような有線ネットワークでも、或いは、例えばＷｉＦｉネットワークのような無線ネットワークでも良い。ＶｏＩＰによる音声サービスは、公衆交換電話回線網を使用しておらず、インターネットを介して提供されている。
【０００４】
一部の種類のゲートウェイは、アナログ電話機を接続するアナログ電話インタフェース、即ち、ＦＸＳインタフェースを備えている。これにより、当該電話機は、中央局内に設置されたＦＸＳに接続されてＰＯＴＳサービスにアクセスでき、構内電話配線にプラグ接続されたアナログ電話機と同じ電話サービスを利用できる。また、一部の種類のゲートウェイは、電話加入者回線インタフェース手段も備えており、ＦＸＳとして動作する。これにより、ゲートウェイのＦＸＳインタフェースに接続された電話機は、ゲートウェイ内に設けられたＦＸＳに接続されて、ＶｏＩＰによる音声サービスを利用できる。
【０００５】
顧客構内がもはや電話サービス中央局に接続されていなければ、構内電話配線にプラグ接続された電話機は、もはやＰＯＴＳサービスにアクセスできない。電話加入者回線インタフェース手段を備えたゲートウェイにより、引き続き、ＦＸＳインタフェースにプラグ接続された電話機はＶｏＩＰによる音声サービスを利用することが可能である。構内電話配線にプラグ接続された電話機がゲートウェイを介してＶｏＩＰによる音声サービスを利用できるようにする１つの方法は、構内電話配線の全体を構内ゲートウェイのＦＸＳインタフェースに接続することである。この場合、当該ゲートウェイが最小入口ポイント（Ｍｉｎｉｍｕｍ＿Ｐｏｉｎｔ＿Ｏｆ＿Ｅｎｔｒｙ：ＭＰＯＥ）と同じ場所に設置されている必要があり、更に構内電話配線の全体を当該ゲートウェイのＦＸＳインタフェースに接続する必要がある。
【発明の開示】
【０００６】
本発明は、顧客構内がもはや電話サービス中央局に接続されていない場合、構内電話配線に変更を加える必要なく、構内電話配線に接続された電話機が音声サービスを利用できるようにする装置に関する。
【０００７】
この目的のために、本発明は、構内電話配線に接続する第１のインタフェース手段と、ネットワークにアクセスする第２のインタフェース手段とを有する装置であって、構内電話配線は中央局内に設置された第１の電話加入者回線インタフェース手段に接続され、構内電話配線は少なくとも第１のアナログ電話機を接続するプラグ接続手段を有している装置に関する。
【０００８】
本発明によれば、本装置は、ネットワークを介して電話サービスを提供する第２の電話加入者回線インタフェース手段と、構内電話配線が第１の電話加入者回線インタフェース手段から切断されたときに、第１のアナログ電話機を第２の電話加入者回線インタフェース手段に接続する手段と、を備えている。
【０００９】
驚くべきことに、本装置は、構内電話配線に何ら変更を加える必要がない。本発明の装置が構内電話配線にプラグ接続されることにより、この構内電話配線にプラグ接続された全ての電話機が本装置の電話加入者回線インタフェース手段を介して電話サービスにアクセス可能となる。勿論、これは、構内電話配線が中央局内に設置された電話加入者回線インタフェース手段から切断されている場合に可能になる。
【００１０】
本発明の一態様によれば、本装置は、第２のアナログ電話機を接続する第３のインタフェース手段と、構内電話配線が第１の電話加入者回線インタフェース手段から切断されたときに、第２のアナログ電話機を第２の電話加入者回線インタフェース手段に接続する手段と、を有している。
【００１１】
本発明の一態様によれば、本装置は、第２のアナログ電話機を第１の電話加入者回線インタフェース手段に接続する手段を有し、構内電話配線は第１の電話加入者回線インタフェース手段に接続されている。
【００１２】
本発明の一態様によれば、本装置は、第２のアナログ電話機を第２の電話加入者回線インタフェース手段に接続する手段を有し、構内電話配線は第１の電話加入者回線インタフェース手段に接続されている。
【００１３】
本装置は、電話機を本装置に直接接続できるインタフェースを備えている。この電話機は、本装置が提供する電話サービス、あるいは、中央局が提供する電話サービスにアクセス可能である。
【００１４】
本発明の一態様によれば、本装置は、第１の電話加入者回線インタフェース手段への第１および第２のアナログ電話機の接続、第２の電話加入者回線インタフェース手段への第１および第２のアナログ電話機の接続、あるいは、第１の電話加入者回線インタフェース手段への第１のアナログ電話機の接続および第２の電話加入者回線インタフェース手段への前記第２のアナログ電話機の接続、の間での切替えを行う切替え手段を有する。
【００１５】
本装置は、種々の電話サービスへのアクセスを同時には提供しない。主に構内電話配線の環境設定によるが、本装置は、選択された種類の電話サービスに電話機がアクセス可能な種々のモードを提供する。
【００１６】
本発明の一態様によれば、切替え手段はスイッチである。このスイッチにより、本装置上で適切な位置を直接選択できる。
【００１７】
本発明の一態様によれば、本装置は、切替え手段を制御する遠隔管理手段を有する。この遠隔管理手段により、遠隔場所から適切な位置を選択できる。
【００１８】
本発明の一態様によれば、本装置は、本装置を中央局内に設置されたデジタル加入者回線アクセス・マルチプレクサに接続するデジタル加入者回線インタフェースを有する。これにより、第２の電話加入者回線インタフェース手段は、ＤＳＬ接続を介して電話サービスを提供する。
【００１９】
本発明の一態様によれば、本装置は、ボイスオーバーＩＰサービスを提供する手段を有する。これにより、第２の電話加入者回線インタフェース手段は、ＶｏＩＰによる電話サービスを提供する。
【００２０】
以下、添付図面を参照しつつ、非制限的な以下の実施形態及び各実施例により、本発明を更に良く理解できるように説明する。
【発明を実施するための最良の形態】
【００２１】
図１は、顧客構内１と顧客構内１が接続されている中央局２との間の加入者回線３を示している。この実施形態では、加入者回線３は一対の銅製配線である。
【００２２】
中央局２は、デジタル加入者回線アクセス・マルチプレクサ（ＤＳＬＡＭ）２４と、電話サービス中央局２１とを備えている。ＤＳＬＡＭは、顧客構内１に設置されているＤＳＬゲートウェイ４と接続されるようになっており、これは、ＤＳＬモデムがＤＳＬＡＭに登録され、かつポイント・ツー・ポイント接続でＤＳＬＡＭに関連付けられていることを意味している。これにより、ＤＳＬサービスがＤＳＬゲートウェイに提供され、顧客がインターネット１００にアクセス可能となる。
【００２３】
電話サービス中央局２１には、異種交換局（ＦＸＳ）２２が設けられている。ＦＸＳは、ローパス・フィルタ２３を介して加入者回線３に接続されている。このローパス・フィルタ２３が必要である理由は、加入者回線上にＤＳＬ接続が設定されているためである。このローパス・フィルタ２３は、ＤＳＬの高いトーンによってアナログ電話サービスの動作が乱されるのを防ぐ。ＦＸＳ２２は、加入者回線３に接続されている電話機７に対する電話交換機として動作する。したがって、電話機７は、ＦＸＳに接続されて、これから電話加入者回線サービスを受ける。
【００２４】
ＦＸＳは、電話加入者回線インタフェース回路（Ｐｈｏｎｅ＿Ｓｕｂｓｃｒｉｂｅｒ＿Ｌｉｎｅ＿Ｉｎｔｅｒｆａｃｅ＿Ｃｉｒｃｕｉｔ：ＳＬＩＣ；不図示）を備えている。ＳＬＩＣはＢＯＲＳＣＨＴ機能を実行する。このＢＯＲＳＣＨＴとは、電流供給（Ｂａｔｔｅｒｙ）、過電圧保護（Ｏｖｅｒｖｏｌｔａｇｅ＿Ｐｒｏｔｅｃｔｉｏｎ）、呼出信号（Ｒｉｎｇｉｎｇ）、監視（Ｓｕｐｅｒｖｉｓｉｏｎ）、Ａ／Ｄ変換（Ｃｏｄｅｃ）、２線−４線変換（Ｈｙｂｒｉｄ）、試験引込み（Ｔｅｓｔｉｎｇ）を表している。ＳＬＩＣは、ライン・カード（Ｌｉｎｅ＿Ｃａｒｄ）内に実装してもよく、あるいは、集積回路内に実装してもよい。
【００２５】
この実施形態では、ＦＸＳは、ＰＯＴＳサービスへのアクセスを提供する。なお、本発明は、ＰＯＴＳに限定されるものではなく、例えば広帯域電話通信技術のような他のアナログ電話技術にも適用できる。
【００２６】
顧客構内１には、加入者回線と構内電話配線とのインタフェースである、最小入口ポイント（ＭＰＯＥ）５が設置されている。構内電話配線１１は、電話機、あるいは、ＤＳＬゲートウェイ又はＤＳＬモデムなどのＤＳＬ装置を接続するための、数個のプラグ１１０，１１１を有している。これらのプラグは、例えば、標準型コネクタ（ＲＪ−１１）であるが、電話通信用またはデータ通信用の他の任意の種類の電気的コネクタであってもよい。プラグに接続される電話機は、有線型電話機であっても、あるいは、コードレス型電話機であってもよい。プラグに接続されたＤＥＣＴ基地局のような基地局によって、数個のＤＥＣＴ端末の接続が可能になる。以下、本明細書に於いて、「電話機」とは、音声周波数信号を送受信する全ての機器を表している。これには、例えば、通常の電話機、基地局を含むＤＥＣＴシステム、及び、コードレス電話機が含まれる。
【００２７】
この実施形態の構成では、ＤＳＬゲートウェイが、ＤＳＬインタフェースを介して顧客構内に接続されている。ここで「ＤＳＬ」とは、ｘＤＳＬファミリーの全てのメンバーを表している。電話機７もローパス・フィルタ６を介して構内電話配線に接続されている。ＤＳＬゲートウェイ４はＬＡＮインタフェースを備えており、これにより、ＬＡＮ１０に接続されたＰＣ９等の全ての機器がインターネット１００にアクセス可能になっている。
【００２８】
ＤＳＬゲートウェイは、電話機８との接続用のインタフェースを備えている。このインタフェースはＦＸＳインタフェースである。電話機は、中央局２に設置されているＦＸＳによって提供されるＰＯＴＳサービスにアクセス可能である。電話機８は、ゲートウェイ４によって提供される音声サービスにもアクセス可能であるが、このとき、電話機８は、中央局２に設置されているＦＸＳには接続されておらず、ゲートウェイ４内に設けられているＦＸＳに接続されている。ゲートウェイは、このときＤＳＬ接続を介してＶｏＩＰを行う。本実施形態では、ＦＸＳインタフェースは必須ではない。
【００２９】
図２は、もはや電話サービス中央局２１に接続されていない顧客構内１を示している。顧客構内はＤＳＬＡＭ２４のみに接続されている。構内電話配線にプラグ接続されている電話機７は、電話サービス中央局によって提供されるＰＯＴＳサービスには、もはやアクセスできない。本実施形態によれば、電話機７は、ゲートウェイ４によって提供される音声サービスにアクセス可能である。
【００３０】
図３は、本実施形態によるゲートウェイ４を示している。
【００３１】
ＤＳＬコネクタである第１のインタフェース５４が、ゲートウェイ４を構内電話配線に接続するように設けられている。このコネクタは、例えば、ＲＪ１１コネクタである。
【００３２】
ＤＳＬインタフェースである第２のインタフェース５６が設けられており、これによってゲートウェイをＤＳＬＡＭに接続することが可能になっている。第２のインタフェースは、ハイパス・フィルタ、アナログ・フロント・エンド、アナログ／デジタル変換器、デジタル／アナログ変換器、及び、デジタル信号プロセッサ（全て不図示）を備えている。したがって、ゲートウェイは、ＤＳＬＡＭを介してインターネットにアクセス可能である。他の実施形態では、インタフェース５６は、装置を他のブロードバンド・アクセスへインタフェース接続することを可能にする他のタイプのインタフェースであってもよい。ブロードバンド・アクセスの例としては、ケーブル・ネットワーク、衛星ネットワーク、あるいは、例えばＷｉＦｉやＷＩＭＡＸ規格に準拠した無線ＬＡＮブロードバンドのアクセスがある。
【００３３】
ゲートウェイは内部にローパス・フィルタ５５を備えている。このローパス・フィルタ５５は、不図示のコイル及びキャパシタを備えた受動アナログ・フィルタである。
【００３４】
ＦＸＳインタフェースである第３のインタフェース５３が設けられており、これにより電話機をゲートウェイに接続することが可能になっている。
【００３５】
ＳＬＩＣ５１は、電話加入者回線インタフェース機能を実行し、かつ、それらの機能を、ＦＸＳインタフェースに接続された電話機、あるいは、構内電話配線にプラグ接続された電話機に実行させる。この電話加入者回線インタフェースモジュールは、ＢＯＲＳＣＨＴ機能を実行する。
【００３６】
プロセッサ５０はＶｏＩＰ処理手段を備えている。装置の種々のモジュールは、このプロセッサによって駆動されても良いし、あるいは、他のプロセッサによって駆動されても良い。
【００３７】
スイッチ５２は種々の位置の切替えを可能にし、これにより、装置は種々のサービスを提供できる。スイッチ５２は、装置に配置されたボタン５７によってアクセスされる。また、スイッチ５２は、遠隔管理モジュール５８によってもアクセス可能である。この実施形態では、スイッチ５２は、３つの位置を備えている。この３つの位置の各々によって、装置は、それぞれの特定のサービスを提供できる。スイッチ５２の第１、第２及び第３の位置が、それぞれ、図４、図５及び図６に示されている。
【００３８】
装置は、ＬＡＮインタフェース（不図示）も備えており、これにより、構内のＬＡＮに接続でき、また、当該ＬＡＮに接続された各機器にインターネット・アクセスを可能にする。このＬＡＮインタフェースは、例えば、イーサネット（登録商標）インタフェース、あるいは、ＷｉＦｉインタフェースであっても良い。
【００３９】
図４に示されているスイッチの第１の位置では、ＳＬＩＣ５１は使用されない。ＦＸＳインタフェース５３は、ローパス・フィルタ５５に接続されている。この第１の位置では、ゲートウェイは、以下においてサービス１と称するサービスを提供する。このサービス１によって、ＦＸＳポート５３にプラグ接続された電話機は、あたかも構内電話配線にプラグ接続されているかのように動作する。この電話機は、中央局２内に設置されているＦＸＳに接続される。この第１の位置では、構内電話配線にプラグ接続された電話機は、中央局内に設置されているＦＸＳに接続される。
【００４０】
図５に示されているスイッチの第２の位置では、ローパス・フィルタ５５は使用されない。ＦＸＳポート５３はＳＬＩＣモジュール５１に接続されている。この第２の位置では、ＤＳＬゲートウェイ４は、以下においてサービス２と称するサービスを提供する。ＦＸＳポート５３にプラグ接続された電話機は、ＳＬＩＣモジュール５１に接続され、ＶｏＩＰによる音声サービスを利用できる。この装置は、当該電話機に対するＦＸＳとして動作する。
【００４１】
構内電話配線は、中央局に設置されているＦＸＳに接続されている場合と接続されていない場合がある。接続されている場合、構内電話配線に接続された電話機は、ＦＸＳを介して音声サービスを利用できる。接続されていない場合、構内電話配線に接続された電話機は音声サービスを利用できない。
【００４２】
図６に示されているスイッチの第３の位置では、ＦＸＳインタフェース５３、ローパス・フィルタ５５及びＳＬＩＣモジュール５１は、互いに接続されている。この第３の位置では、ゲートウェイは、以下においてサービス３と称するサービスを提供する。ＦＸＳポート５３にプラグ接続された電話機は、ＳＬＩＣモジュール５１に接続される。構内電話配線にプラグ接続された全ての電話機は、ＳＬＩＣモジュール５１に接続される。ＶｏＩＰがＤＳＬ接続を通じて行われる。他の実施形態では、ＶｏＩＰは他の種類のブロードバンド接続を通じて行われてもよい。
【００４３】
電話機は、ローパス・フィルタを通じて構内電話配線にプラグ接続される。ローパス・フィルタ５５はゲートウェイ内のＳＬＩＣ５１に接続されており、これにより、当該電話機はＳＬＩＣモジュール５１に接続することが可能となっている。装置は、構内電話配線に接続された電話機に対するＦＸＳとして動作する。すなわち、構内電話配線に接続された全ての電話機は、装置のＳＬＩＣモジュールの各機能を利用できる。
【００４４】
サービス３は、顧客構内が電話サービス中央局に接続されている場合には適用されない。
【００４５】
装置は、ＦＸＳポートを備えていなくても良い。何れにしても、装置は、構内電話配線にプラグ接続された全ての機器に対してＦＸＳとして動作し、これらの機器がＶｏＩＰによる音声サービスにアクセスできるようにしている。
【００４６】
上述したスイッチの全ての位置について、装置は、構内電話配線の任意のコネクタにプラグ接続できる。
【００４７】
スイッチは、接点切替ユニット（Ｃｈａｎｇｅ−Ｏｖｅｒ＿Ｃｏｎｔａｃｔ＿Ｕｎｉｔ）である。スイッチは、上述の３つの位置の選択を可能にする別のスイッチを介してアクセスされるようになっていても良い。このスイッチは３つの異なる位置を有しており、ユーザが、自己の判断で、必要なサービスに従って適切な位置を選択する。
【００４８】
また、スイッチはソフトウェアによって管理されるようになっていても良い。この切替え手段へのアクセスは、装置に設けられたユーザ・インタフェースを通じてユーザが行うことが可能である。このソフトウェア切替え手段へのアクセスは、ユーザあるいはオペレータによって操作される遠隔管理手段によって行うことが可能である。
【００４９】
他の実施形態では、スイッチ５２は、以下に述べるように、装置によって自動的に環境設定される。オペレータ、インターネット・サービス・プロバイダあるいはＰＯＴＳサービス・プロバイダが、顧客に利用される電話サービスを制御しても良い。ＰＯＴＳサービスがまだ利用できる間は、顧客構内の電話機は、ＰＯＴＳサービスに接続される。オペレータはこれを操作し、ＰＯＴＳサービスが利用不可にされるまではＶｏＩＰサービスを利用不可にする。
【００５０】
ＰＯＴＳサービスからＶｏＩＰのみのサービスに移行するには、サービス・プロバイダは次の処理を行う。サービス・プロバイダは、ＰＯＴＳからＶｏＩＰに移行する前に、装置を「音声環境設定」状態に設定する。ＰＯＴＳサービスを切断してからＶｏＩＰサービスを利用可能にするまでの期間に相当するこの状態の間、電話の送受信は出来ない。その期間は非常に短いため、このことは顧客にはトランスペアレントである。また、このことをユーザ・インタフェースによって顧客に知らせても良い。例えば、装置に設けた数個のＬＥＤによって、ＰＯＴＳの登録、ＶｏＩＰの登録、あるいは音声サービス利用不可の登録を顧客に知らせるようにしても良い。音声サービスの移行の手続きは、以下のように行う。
【００５１】
サービス・プロバイダが、中央局２に於いてＰＯＴＳサービスを切断し、オペレータにより管理されるＶｏＩＰサーバ上のＶｏＩＰサービスを利用可能にする。サービス・プロバイダは、顧客の電話番号をサーバに登録し、ＶｏＩＰサービスを起動、あるいは、一時停止することができる。
【００５２】
ＶｏＩＰモードが起動されると、ＶｏＩＰサービスの起動を常時チェックしている装置は、このサービスの起動を検知して、自動的にＶｏＩＰサービスの登録を行う。この際、装置は、スイッチを第３の位置に切替え、ＦＸＳポートとローパス・フィルタとをＳＬＩＣに接続する。これにより、構内電話配線に接続された全ての電話機は、ゲートウェイ内に設けられたＦＸＳに接続される。
【００５３】
当然、オペレータは、同様の態様で、ＶｏＩＰサービスからＰＯＴＳサービスに移行できる。
【００５４】
なお、図３に示された各ブロックは、純粋に機能的な構成要素であって、必ずしも物理的に独立した構成要素に対応する必要はない。つまり、図示の各機能ブロックは、ソフトウェアの形態で構築しても良いし、あるいは、１個の又は数個の集積回路内に実装しても良い。
【図面の簡単な説明】
【００５５】
【図１】中央局に接続された顧客構内のブロック図である。
【図２】中央局に接続された顧客構内のブロック図である。
【図３】一実施形態によるゲートウェイの各モジュールのブロック図である。
【図４】スイッチが第１の位置にあるときのゲートウェイのブロック図である。
【図５】スイッチが第２の位置にあるときのゲートウェイのブロック図である。
【図６】スイッチが第３の位置にあるときのゲートウェイのブロック図である。
【図１】
2009528716.tif 000003
【図２】
2009528716.tif 000004
【図３】
2009528716.tif 000005
【図４】
2009528716.tif 000006
【図５】
2009528716.tif 000007
【図６】
2009528716.tif 000008
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
構内電話配線（１１）に接続する第１のインタフェース手段（５４）と、ネットワーク（１００）にアクセスする第２のインタフェース手段（５６）とを有する装置（４）であって、前記構内電話配線は中央局（２）内に設置された第１の電話加入者回線インタフェース手段（２１）に接続され、前記構内電話配線は少なくとも第１のアナログ電話機（７）および前記装置を接続する２つ以上のプラグ接続手段（１１０，１１１）を有しており、
第２の電話加入者回線インタフェース手段（５１）と、
前記構内電話配線（１１）が前記第１の電話加入者回線インタフェース手段（２１）から切断されたときに、前記ネットワーク（１００）を介して前記第２の電話加入者回線インタフェース手段（５１）によって前記少なくとも第１のアナログ電話機（７）に電話サービスを提供する手段と、を有し、
前記装置は前記２つ以上のプラグ接続手段（１１０，１１１）のうちのいずれか１つに接続されていることを特徴とする前記装置。
【請求項２】
第２のアナログ電話機（８）を接続する第３のインタフェース手段（５３）と、
前記構内電話配線（１１）が前記第１の電話加入者回線インタフェース手段（２１）から切断されたときに、前記第２のアナログ電話機（８）を前記第２の電話加入者回線インタフェース手段（５１）に接続する手段と、
を有することを特徴とする、請求項１に記載の装置。
【請求項３】
第２のアナログ電話機を前記第１の電話加入者回線インタフェース手段（２１）に接続する手段を有し、前記構内電話配線（１１）は前記第１の電話加入者回線インタフェース手段（２１）に接続されていることを特徴とする、請求項１または２に記載の装置。
【請求項４】
前記第２のアナログ電話機を前記第２の電話加入者回線インタフェース手段（５１）に接続する手段を有し、前記構内電話配線は前記第１の電話加入者回線インタフェース手段（２１）に接続されていることを特徴とする、請求項３に記載の装置。
【請求項５】
前記第１の電話加入者回線インタフェース手段への前記第１および第２のアナログ電話機の接続、
前記第２の電話加入者回線インタフェース手段への前記第１および第２のアナログ電話機の接続、あるいは、
前記第１の電話加入者回線インタフェース手段への前記第１のアナログ電話機の接続および前記第２の電話加入者回線インタフェース手段への前記第２のアナログ電話機の接続、
の間での切替えを行う切替え手段（５２）を有することを特徴とする、請求項３または４に記載の装置。
【請求項６】
前記切替え手段（５２）がスイッチ（５７）であることを特徴とする、請求項５に記載の装置。
【請求項７】
前記切替え手段（５２）を制御する遠隔管理手段（５８）を有することを特徴とする、請求項５または６に記載の装置。
【請求項８】
前記装置を前記中央局（２）内に設置されたデジタル加入者回線アクセス・マルチプレクサ（２４）に接続するデジタル加入者回線インタフェース（５６）を有することを特徴とする、請求項１から７のいずれか１項に記載の装置。
【請求項９】
ボイスオーバーＩＰサービスを提供する手段を有することを特徴とする、請求項１から８のいずれか１項に記載の装置。
【国際調査報告】
2009528716.tif 000009
2009528716.tif 000010
2009528716.tif 000011